(57)【要約】      （修正有）【課題】別途に家具を設けずに、使用者がソファー又は椅子に着座しながら小物を載置できる小物載置装置及び該小物載置装置を備えるソファー又は椅子を提供する。【解決手段】ソファー又は椅子の左右両側部の少なくとも一方に取り付けられ、使用状態から折畳まれることにより収納状態に切替可能である小物載置装置であって、ソファー又は椅子の側部にネジＳにより固定される固定部１０と、固定部の下方にヒンジＨ１で回転可能に連結され、小物を下方から支持するための底部２１と壁部２２を有する載置部とを備える。固定部の上方にヒンジ連結され、小物を補助的に保持するための補助保持部３０を設けるのが好ましい。【選択図】図２
0003199745.tif 000002
【実用新案登録請求の範囲】
【請求項１】
小物を置けるための小物載置装置であって、
ソファー又は椅子の左右両側部の少なくとも一方に取り付けられ、使用状態から折畳まれることにより収納状態に切替可能であることを特徴とする小物載置装置。
【請求項２】
請求項１に記載の小物載置装置において、
ソファー又は椅子の側部に固定される固定部と、前記固定部の下方にヒンジ連結され、小物を下方から支持するための載置部と、前記固定部の上方にヒンジ連結され、小物を補助的に保持するための補助保持部とを備えることを特徴とする小物載置装置。
【請求項３】
請求項２に記載の小物載置装置において、
前記固定部は、前記小物載置装置のソファー又は椅子の側部に対する固定位置を変更するための位置調整構造を備えていることを特徴とする小物載置装置。
【請求項４】
請求項２又は３に記載の小物載置装置において、
前記載置部及び前記補助保持部の少なくとも一方に、これらを回転するための凸部又は凹部が形成されていることを特徴とする小物載置装置。
【請求項５】
請求項２〜４の何れか一項に記載の小物載置装置において、
前記固定部は底部が略長方形の皿状であり、同固定部の底部がソファー又は椅子の側部に固定され、前記載置部は底面が略長方形の皿状であり、前記補助保持部は平面視が略環状であり、
使用状態においては、前記載置部及び前記補助保持部がそれぞれ前記固定部に略垂直な支持位置に回転され、鉛直方向において互いに対応し、収納状態においては、前記補助保持部が下方に回転されて前記固定部の内部に収納された後に前記載置部が上方に回転されて前記補助保持部及び前記固定部を外側から覆うように折畳むことを特徴とする小物載置装置。
【請求項６】
ドリンク、携帯電話、メガネ、及び本の少なくとも１つを載置可能である、請求項１〜５の何れか一項に記載の小物載置装置。
【請求項７】
請求項１〜６の何れか一項に記載の小物載置装置を備えるソファー又は椅子。
【請求項８】
請求項７に記載のソファー又は椅子において、
前記小物載置装置を設置する側部には、収納状態の該小物載置装置を格納するための凹部が形成されていることを特徴とするソファー又は椅子。
【請求項９】
請求項８に記載のソファー又は椅子において、
前記凹部の深さは前記収納状態の小物載置装置の厚さより小さく設定されていることを特徴とするソファー又は椅子。
【請求項１０】
請求項７〜９の何れか一項に記載のソファー又は椅子において、
前記小物載置装置は位置が変更可能に前記側部に設置されていることを特徴とするソファー又は椅子。
【請求項１１】
前記小物載置装置を左右両側部に少なくとも１つずつを備える、請求項７〜１０の何れか一項に記載のソファー又は椅子。
【考案の詳細な説明】
【技術分野】
【０００１】
本考案は、ドリンクホルダ等の小物載置装置及び該小物載置装置を備えるソファー又は椅子に関する。
【背景技術】
【０００２】
応接室や待合室において設置されるソファーや椅子としては例えば引用文献１に記載のものが知られている。使用者はこのようなソファーに着座して、快適に会談したり休憩したりすることができる。
【先行技術文献】
【特許文献】
【０００３】
【特許文献１】特開２０１５−０１９７０９号公報
【考案の概要】
【考案が解決しようとする課題】
【０００４】
ところで、使用者はソファーや椅子に着座しながらドリンクを飲むことがよくある。途中まで飲んでいたドリンクのボトルやコップをずっと手で持つと、手が疲れやすく、座りながら例えば新聞を読むなど、両手による操作が必要な場合は、不便である。また、ドリンクのみならず、使用者がソファーや椅子に着座している際に、しばらく使用しない携帯やメガネ等、他の小物を近くに置きたい場合もよくある。
そこで、従来のソファーや椅子を使用する際には、サイドテーブル等、小物を載置するための家具を別途に設けるようにしていた。しかし、このように別の家具を設けた場合、家具の点数が多くなるため、インテリアのコストが高くなるとともに、部屋の空間が余計に使われるという問題があった。
本考案は、以上のような事情や問題点に鑑みてなされたものであり、別途に家具を設けずに、使用者がソファー又は椅子に着座しながら小物を載置できる小物載置装置及び該小物載置装置を備えるソファー又は椅子を提供することを目的とする。
【課題を解決するための手段】
【０００５】
上記目的を達成するため、本考案の小物を置けるための小物載置装置は、ソファー又は椅子の左右両側部の少なくとも一方に取り付けられ、使用状態から折畳まれることにより収納状態に切替可能である。
こうした構成によれば、使用者がソファー又は椅子に着座したままドリンク等の小物を使用状態の小物載置装置に配置することができるとともに、使用しない場合は小物載置装置を収納状態に切替えることができる。従って、別途に家具を設けずに、使用者がソファーに着座しながら小物を載置できるようになる。
好ましくは、ソファー又は椅子の側部に固定される固定部と、前記固定部の下方にヒンジ連結され、小物を下方から支持するための載置部と、前記固定部の上方にヒンジ連結され、小物を補助的に保持するための補助保持部とを備える。
好ましくは、前記固定部は、前記小物載置装置のソファー又は椅子の側部に対する固定位置を変更するための位置調整構造を備えている。
好ましくは、前記載置部及び前記補助保持部の少なくとも一方に、これらを回転するための凸部又は凹部が形成されている。
好ましくは、前記固定部は底部が略長方形の皿状であり、同固定部の底部がソファー又は椅子の側部に固定され、前記載置部は底面が略長方形の皿状であり、前記補助保持部は平面視が略環状であり、使用状態においては、前記載置部及び前記補助保持部がそれぞれ前記固定部に略垂直な支持位置に回転され、鉛直方向において互いに対応し、収納状態においては、前記補助保持部が下方に回転されて前記固定部の内部に収納された後に前記載置部が上方に回転されて前記補助保持部及び前記固定部を外側から覆うように折畳む。
小物載置装置は、ドリンク、携帯電話、メガネ、及び本の少なくとも１つを載置可能であることが好ましい。
好ましくは、前記小物載置装置を設置する側部には、収納状態の該小物載置装置を格納するための凹部が形成されている。
好ましくは、前記凹部の深さは前記収納状態の小物載置装置の厚さより小さく設定されている。
好ましくは、前記小物載置装置は位置が変更可能に前記側部に設置されている。
好ましくは、前記小物載置装置を左右両側部に少なくとも１つずつを備える。
【図面の簡単な説明】
【０００６】
【図１】本考案に係る小物載置装置の一実施形態を備えるソファーの側面図である。
【図２】同実施形態の斜視図である。
【図３】同実施形態の使用状態を示す側面図である。
【図４】同実施形態の使用状態を示す正面図である。
【図５】同実施形態の収納状態を示す側面図である。
【考案を実施するための形態】
【０００７】
以下、本考案の一実施形態を図面に基づいて説明する。
図１に示されるように、ソファー１は左右両側において略鉛直方向に沿って延伸するアームレスト１ａが設けられており、各アームレスト１ａの外壁には、使用者が着座している際に手が届く位置に、小物載置装置２が設けられている。
図２〜４に示されているように、小物載置装置２は、アームレスト１ａの外壁に固定された固定部１０と、固定部１０の下方にヒンジ連結された載置部２０と、固定部１０の上方にヒンジ連結された補助保持部３０とを備えている。
固定部１０は皿状であり、略長方形の底部１１と、底部１１の周縁沿って形成された枠状の壁部１６とを備えており、壁部１６は、アームレスト１ａから外側に向けて突出している。底部１１と壁部１６とにより、アームレスト１ａの外側に開放する収納空間１７が形成されている。
底部１１には、使用者の前後方向において並べる３列の貫通孔１４が形成されており、各列は２つの貫通孔１４を含んでいる。図２に示された状態では、中央に位置する列の各貫通孔１４には、ネジＳがそれぞれ挿入されてアームレスト１ａの外壁に旋入されている。これにより、固定部１０がアームレスト１ａの外壁に固定されるようになる。なお、ネジＳが挿入される貫通孔１４の列を変更することにより、固定部１０とアームレスト１ａとの相対位置、即ち小物載置装置２とアームレスト１ａとの相対位置を調整することができる。例えば中央に位置する列の貫通孔１４ではなく、右の列の貫通孔１４にネジを挿入して固定すれば、小物載置装置２をアームレスト１ａに対して使用者の後方に移動することになり、左の列の貫通孔１４にネジを挿入して固定すれば、小物載置装置２をアームレスト１ａに対して使用者の前方に移動することになる。更に、３列の貫通孔１４の間には、固定部１０の強度を上げるための２つの補強部材１５が設けられている。
固定部１０の下方に、ヒンジ構造Ｈ１を介して載置部２０が連結されている。載置部２０は皿状であり、略長方形の底部２１と、底部２１の周縁沿って形成された枠状の壁部２２とを備えており、壁部２２は、底部２１から垂直に突出している。図２及び図３に示されるように、底部２１と壁部２２とにより、使用時において上方に開放する収納空間２３が形成されている。
載置部２０は、固定部１０に略平行な位置と固定部１０に略垂直な位置との間で回転可能である。載置部２０は、固定部１０に略垂直な位置（図５）まで回転されると、収納状態になり、固定部１０に略平行な位置（図３）まで回転されると、使用状態となる。なお、載置部２０は、使用状態まで回転されると、図示しないロック機構により更に下方に回転されることが抑制され、上方からの所定の負荷を受けることができる。また、載置部２０の壁部２２においてヒンジ構造Ｈ１の反対側に、凹部２２ａが形成されている。この凹部２２ａは、載置部２０を収納状態から使用状態に切替える際に、載置部２０を回転しやすいように設けたものである。
固定部１０の上方に、ヒンジ構造Ｈ２を介して平面視略環状の補助保持部３０が連結されている。補助保持部３０は、固定部１０に略平行な位置と固定部１０に略垂直な位置との間で回転可能である。補助保持部３０は、固定部１０に略垂直な位置（図５）まで回転されると、収納状態になり、固定部１０に略平行な位置（図３）まで回転されると、使用状態となる。なお、補助保持部３０は、使用状態まで回転されると、図示しないロック機構により更に回転されることが抑制されるとともに、使用状態に維持される。また、使用状態の補助保持部３０に下方へ所定の力を加えると、補助保持部３０は下方に回転されて収納状態に切替える。
図２〜４に示されるように、載置部２０及び補助保持部３０の双方は、使用状態において固定部１０に対して略垂直であるとともに、鉛直方向において互いに対応している。即ち、鉛直方向において、補助保持部３０のリング位置と載置部２０の底部２１の中央部とが対応している。こうした構成によれば、図３及び４に示されるように、ソファー１に着座している使用者は、着座したまま、例えばドリンク（コップ、ペットボトル又は缶）を補助保持部３０のリングを貫通させてドリンクの下端部を載置部２０の底部２０に配置することができる。このように配置されたドリンクは、載置部２０によって下方から支持されるとともに、振動等により横方向に倒れようとする際に補助保持部３０により保持される。そのため、ドリンクは安定した状態で載置されるようになる。
一方、小物載置装置２の使用が完了した際に、使用者がまず補助保持部３０を収納状態まで下方に回転して固定部１０の収納空間１７に収納し、そして載置部２０を収納状態まで上方に回転して補助保持部３０及び固定部１０を外側から覆うように折畳む。なお、図３及び図５に示されるように、ソファー１のアームレスト１ａにおいて小物載置装置２に対応する位置には、収納状態の小物載置装置２を格納するための凹部４０が形成されている。この凹部４０の平面形状が小物載置装置２に対応しており、その平面寸法が小物載置装置２より若干大きく設定されている。また、図５に示されるように、凹部４０の深さは、収納状態の小物載置装置２の厚さよりも若干小さく設定されている。これにより、使用者が小物載置装置２を収納状態から使用状態に切替える際に、載置部２０に形成された凹部２２ａを外側から操作しやすくなる。
以上の実施形態により、以下の効果を奏することができる。
（１）ソファー１の左右アームレスト１ａの外壁、即ちソファー１の左右両側部に、使用状態から折畳まれることにより収納状態に切替可能な小物載置装置２が設けられているため、使用者がソファー１に着座したままドリンク等の小物を使用状態の小物載置装置２に配置することができるとともに、使用しない場合は小物載置装置２を収納状態に切替えることができる。従って、別途に家具を設けずに、使用者がソファーに着座しながら小物を載置できる。
（２）小物載置装置２は載置部２０及び補助保持部３０を備えており、鉛直方向において、補助保持部３０のリング位置と載置部２０の底部２１の中央部とが対応している。そのため、ソファー１に着座している使用者は、着座したまま、ドリンクを補助保持部３０のリングを貫通させてドリンクの下端部を載置部２０の底部２０に配置することができ、ドリンクの配置が容易になる。また、載置部２０によって下方から支持されるとともに、振動等により横方向に倒れようとする際に補助保持部３０により保持されるため、ドリンクは安定した状態で載置されるようになる。
（３）固定部１０に複数列の貫通孔１４が形成され、ネジＳが挿入される貫通孔１４の列を変更することにより小物載置装置２とアームレスト１ａとの前後方向における相対位置を調整することができるため、使用者の体の大きさや好みにあわせて小物載置装置２の固定位置を調整できるようになり、小物載置装置２の使い勝手が良くなる。
（４）載置部２０の壁部２２に凹部２２ａが形成されているため、載置部２０を収納状態から使用状態に切替える際に、載置部２０を回転しやすくなる。
（５）補助保持部３０を収納状態まで下方に回転して固定部１０の収納空間１７に収納し、そして載置部２０を収納状態まで上方に回転して補助保持部３０及び固定部１０を外側から覆うように折畳むことにより、小物載置装置２を収納状態に切替えることができる。この構成により、小物載置装置２を簡単に収納できる。
（６）また、ソファー１のアームレスト１ａにおいて小物載置装置２に対応する位置には、収納状態の小物載置装置２を格納するための凹部４０が形成されており、凹部４０の深さは、収納状態の小物載置装置２の厚さよりも若干小さく設定されている。この構成により、収納状態において小物載置装置２がソファー１のアームレスト１ａから突出する程度を押さえつつ、載置部２０を外側から操作しやすくなる。
本実施形態は以下のように変形することもできる。
・上記実施形態ではソファー１の左右両側部に小物載置装置２を１つずつ設けたが、これに限らず例えばソファー１の右側部のみ、又は左側部のみに小物載置装置２を設けても良い。また、ソファー１の片側に２つ以上の小物載置装置２を設けても良い。
・上記実施形態では、小物載置装置の例として、固定部１０、載置部２０及び補助保持部３０を備えるものを示したが、これに限らず、ソファー１の左右両側部に取り付けられ、使用状態から折畳まれることにより収納状態に切替可能であれば、他の形の小物載置装置を採用しても良い。例えば、携帯電話、メガネ、又は本を載置するために、載置部２０を大きくしたり補助保持部を省略したりして、これらの小物にそれぞれ対応する構成を採用することができる。
・上記実施形態では、小物載置装置２を備えるソファー１を示したが、これに限らず、椅子において小物載置装置２を配置することもできる。
・上記実施形態では、アームレスト１ａにおいて収納状態の小物載置装置２を格納するための凹部４０が形成されているが、操作の便利さを重視する場合は、凹部４０を設けなくても良い。また、凹部４０の深さが収納状態の小物載置装置２の厚さよりも小さく設定されているが、ディザイン性を重視する場合は、凹部４０の深さを収納状態の小物載置装置２の厚さと同じ寸法に設定し、収納状態において面一にしても良い。
・上記実施形態では、ネジＳが挿入される貫通孔１４の列を変更することにより小物載置装置２とアームレスト１ａとの前後方向における相対位置を調整できる構成を採用したが、上下方向における相対位置を調整できる構成を採用しても良い。
【図１】
0003199745.tif 000003
【図２】
0003199745.tif 000004
【図３】
0003199745.tif 000005
【図４】
0003199745.tif 000006
【図５】
0003199745.tif 000007
【手続補正書】
【提出日】平成27年7月3日(2015.7.3)
【手続補正１】
【補正対象書類名】実用新案登録請求の範囲
【補正対象項目名】請求項１
【補正方法】変更
【補正の内容】
【請求項１】
ソファー又は椅子の左右両側部の少なくとも一方に取り付けられ、使用状態から折畳まれることにより収納状態に切替可能である小物載置装置であって、
ソファー又は椅子の側部に固定される固定部と、前記固定部の下方にヒンジ連結され、小物を下方から支持するための載置部とを備えることを特徴とする小物載置装置。
【手続補正２】
【補正対象書類名】実用新案登録請求の範囲
【補正対象項目名】請求項２
【補正方法】変更
【補正の内容】
【請求項２】
請求項１に記載の小物載置装置において、
前記固定部の上方にヒンジ連結され、小物を補助的に保持するための補助保持部を設けたことを特徴とする小物載置装置。